(57)【特許請求の範囲】
【請求項１】
複数の建物ユニットを隣接配置して構築されたユニット建物の屋根板の軒先部を外側から覆うようにして取り付けられる軒先材と、軒先材と直行する方向に延在し基端が建物ユニットの構造体に固定される庇アームと、庇アームの先端に取り付けられる固定金具とから構成され、軒先材が固定金具を介して庇アームの先端に取り付けられてなるユニット建物の軒先構造において、
建物ユニットの長さが単位長さの整数倍になされ、軒先材がこの単位長さに分割されていることを特徴とするユニット建物の軒先構造。
【請求項２】
軒先材が、無機系材料で形成されていることを特徴とする請求項１記載のユニット建物の軒先構造。
【請求項３】
軒先材の取付け部が、軒先材の裏面側に形成され、この取付け部が、固定金具と係止状態または嵌合状態で取付け可能になされ、固定金具の裏面側に補強板が垂設されていることを特徴とする請求項１または２記載のユニット建物の軒先構造。
【発明の詳細な説明】
【０００１】
【発明の属する技術分野】
本発明は、屋根板の軒先部を外側から覆うようにして軒先材が取り付けられているユニット建物の軒先構造に関する。
【０００２】
【従来の技術】
建物の軒先構造の一例は、特公平７−１０７３０６号公報に記載されている。上記公報記載の軒先構造は、屋根板の軒先部を外側から覆うようにして取り付けられている長尺の軒先材と、軒先材と直行する方向に延在し基端が建物の構造体に固定される庇アームと、庇アームの先端に取り付けられ軒先材の取付け部が形成されている固定金具とから構成されてなるものである。
【０００３】
【発明が解決しようとする課題】
しかしながら、上記公報記載の従来技術において、軒先材の長さは、軒先材を取り付ける建物ユニットの長さと同じになされた長尺体であり、建物ユニットの長さに応じて長さの異なる軒先材を多種類用意する必要があり、部品数が増加するという問題がある。
また、ユニット建物に使用する軒先材には、塩化ビニル樹脂で被覆された鋼板を使用し、庇アームに固定金具を介してリベット等で外側より固定していた。この方法によると、リベットが外側から見えるので、軒先外観を損なうという問題がある。
さらにまた、塩化ビニル樹脂で被覆された鋼板は、雨が乾き難く雨垂れを発生し、軒先材に汚れが付着し易いという問題がある。
【０００４】
そこで、本発明では、上記のような問題に着目し、部品数を低減することができるユニット建物の軒先構造を提供することを第一の目的とし、また、軒先外観意匠性のよいユニット建物の軒先構造を提供することを第二の目的としている。
【０００５】
【課題を解決するための手段】
上記第一の目的を達成するため、請求項１記載の発明では、複数の建物ユニットを隣接配置して構築されたユニット建物の屋根板の軒先部を外側から覆うようにして取り付けられている軒先材と、軒先材と直行する方向に延在し基端が建物ユニットの構造体に固定される庇アームと、庇アームの先端に取り付けられる固定金具とから構成されてなるユニット建物の軒先構造において、
建物ユニットの長さが単位長さの整数倍になされ、軒先材がこの単位長さに分割されているものである。
【０００６】
請求項２記載の発明では、請求項１記載のユニット建物の軒先構造において、軒先材が、無機系材料で形成されているものである。
【０００７】
上記第二の目的を達成するため、請求項３記載の発明では、請求項１または２記載のユニット建物の軒先構造において、軒先材の取付け部が、軒先材の裏面側に形成され、この取付け部が、固定金具と係止状態または嵌合状態で取付け可能になされ、固定金具の裏面側に補強板が垂設されているものである。
【０００８】
（作用）
請求項１記載の本発明では、建物ユニットの長さが単位長さの整数倍になされ、軒先材がこの単位長さに分割されているので、長さの異なる建物ユニットに対して部品の共通化を図ることができ、部品数を低減できる。
例えば、建物ユニットの長さが、単位長さ９００ｍｍモジュールの整数倍になされている場合、
桁方向が５４００ｍｍ長さの建物ユニットに対し、９００ｍｍの単位長さに分割された軒先材を６個取付け、桁方向が３６００ｍｍ長さの建物ユニットに対し、軒先材を４個取り付ければよい。
上記単位長さは、４５０ｍｍモジュールでもよく、その方が狭小敷地対応力が優れる。
【０００９】
請求項２記載の本発明では、さらに、軒先材が、無機系材料で形成されているので、従来の塩化ビニル樹脂被覆鋼板製の軒先材に比べて重量が重くなっても分割されていることで、取付け施工性を損なうことはない。
また、重量感がでて外観意匠性がよくなると共に、雨が乾き易く雨垂れで軒先材に汚れが付着し難い。
【００１０】
請求項３記載の本発明では、さらに、軒先材の取付け部が、軒先材の裏面側に形成され、この取付け部が、固定金具と係止状態または嵌合状態で取付け可能になされているので、リベット等の屋外側から見える固定具を使用せずに軒先材の取付けが可能となり、外観意匠性のよいユニット建物の軒先構造となる。
【００１１】
また、固定金具の裏面側に補強板が垂設されているので、軒先材が重い無機材料で形成されていても、固定金具の強度を確保できる。
【００１２】
【発明の実施の形態】
図１〜図３は、本発明の一実施例であって、図１はユニット建物の軒先構造を示す説明図、図２は分割された軒先材の接合部を示す説明図、図３は図１の軒先構造の断面図である。
【００１３】
図１〜３において、１は建物ユニットの骨組み構造体であり、２は軒先材、３は庇アーム、４は固定金具である。
本実施例は、複数の建物ユニットを隣接配置して構築されたユニット建物の軒先構造であって、屋根板の軒先部を外側から覆うようにして取り付けられる軒先材２と、軒先材２と直行する方向に延在し基端が建物ユニットの構造体１に固定される庇アーム３と、庇アーム３の先端に取り付けられる固定金具４とから構成され、軒先材２が固定金具４を介して庇アーム３の先端に取り付けられてなるものである。
【００１４】
上記軒先材２が取り付けられる建物ユニットの桁方向の長さＬは、図１に示すように、単位長さ（９００ｍｍモジュール）の３倍になされ、軒先材２がこの単位長さである９００ｍｍに３分割されている。
そして、図２に示すように、分割された軒先材２は、ゴムパッキン２０をその間に介在させて接続される。
なお、建物ユニットの桁方向の長さが、９００ｍｍモジュールの６倍である５４００ｍｍであると、上記９００ｍｍの長さになされた軒先材２を６つ取付ける。
【００１５】
なお、図１において、建物ユニットの骨組み構造体１は、４本の柱１３と、この柱１３の上端間に架け渡された天井梁１１（桁側）、１２（妻側）と、柱１３の下端間に架け渡された床梁（図示省略）とから箱型になされている。そして、上記庇アーム３の基端は、上記桁側天井梁１１に固定されている。
また、上記建物ユニットの骨組構造体１の上には、折板屋根材で葺かれた屋根板が設けられているが、図１においてはこれを省略している。
なお、外壁材も９００ｍｍモジュール幅になされ、この外壁材が天井梁と床梁との間に掛け渡される中柱（スタッド）に取着され、外壁材間の目地はガスケットで防水されている。
【００１６】
また、上記軒先材２は、無機系材料で形成されている。具体的な例として、補強繊維を混入した珪酸カルシウム系組成物を押し出し成形によって成形したものである。
この軒先材２は、図３に示すように、厚肉の異型形状になされ、上側軒先部材２１と下側軒先部材２２とに二分割されている。
そして、上側軒先部材２１の裏面には嵌合突起部２１１、２１１が複数並列して形成され、下側軒先部材２２の裏面には下方に垂下した係合部２２１が形成されている。
【００１７】
固定金具４は、図１においては軒先材２の裏面側に隠れて見えないので、図３の断面図で示している。この固定金具４は、軒先材２の長手方向に沿って複数間隔を設けて取付けられているものであって、上側金具片４１と、上側金具片４１の一端が折り曲げられた下側金具片４２と、上部金具片４１と下部金具片４２との間に垂直に架け渡された補強板４３とからなっている。
そして、上側金具片４１の上面には、前記上側軒先部材２１の嵌合突起部２１１に嵌着されるＵ字形状の嵌合金具４１１、４１１が取り付けられている。また、下側金具片４２の屋外側面には、前記下側軒先部材２２の係合部２２１、２２２を挿入係止される係止片４２１が取り付けられている。
【００１８】
また、固定金具４の上端側と下端側とに、取付け片４１２、４２２が設けられ、それぞれ、庇アーム３の先端部にビス、またはリベット等で固定されている。
そして、上側軒先部材２１の嵌合突起部２１１が、上側金具片４１の嵌合金具４１１に嵌着されて係止され、下側軒先材部材２２の係合部２２１、２２２が、下側金具片４２の係止片４２１の中に挿入係止され、上側軒先部材２１と下側軒先部材２２とからなる軒先材２が、庇アーム３の先端部に取り付けられているのである。
なお、５は軒天井である。
【００１９】
つぎに、上記構成になされたユニット建物の軒先構造の取付け方法について説明する。
まず、建物ユニットの骨組み構造体１に取り付けられた庇アーム３の先端部に固定金具４をビス、またはリベット等を使用して固定する。
つぎに、下側軒先部材２２の係合部２２１を下側金具片４２の係止片４２１の中に挿入係止し、必要に応じてビス等で下側軒先部材２２を固定する。
その後、上側軒先部材２１の嵌合突起部２１１を、上側金具片４１の嵌合金具４１１の中に嵌着して係止する。
【００２０】
（実施例の作用）
本実施例では、建物ユニットの桁方向の長さＬが単位長さ（９００ｍｍモジュール）の３倍になされ、軒先材２がこの単位長さに分割されているので、長さの異なる建物ユニットに対して部品の共通化を図ることができ、部品数を低減できる。
例えば、本実施例の建物ユニットの桁方向の長さが９００ｍｍモジュールの３倍になされていたが、桁方向５４００ｍｍ長さの建物ユニットに対し、９００ｍｍ長さの軒先材２を６個設置し、桁方向３６００ｍｍ長さの建物ユニットに対し、軒先材２を４個設置する。すると、同じ軒先材２で長さの異なる建物ユニットに対応できる。
【００２１】
さらに、軒先材２が、無機系材料で形成されているので、従来の鋼板製の軒先材に比べて重量が重くなっても分割されていることで、取付け施工性を損なうことはない。
また、重量感がでて外観意匠性がよくなると共に、雨が乾き易く雨垂れで軒先材２に汚れが付着し難い。
【００２２】
さらにまた、上側軒先部材２１の嵌合突起部２１１と上側金具片４１の嵌合金具４１１とが嵌合状態で係止され、下側軒先材２２の係合部２２１が下側金具片４２の係止片４２１に係止されて軒先材２が取り付けられているので、リベット等の屋外側から見える固定具を使用せずに軒先材２の取付けが可能となり、軒先外観意匠性のよいユニット建物の軒先構造となる。
【００２３】
また、上部金具片４１と下部金具片４２との間に補強板４３が架け渡されているので、軒先材２が重い無機材料で形成されていても、固定金具４の強度を確保できる。
【００２４】
【発明の効果】
請求項１記載の本発明では、建物ユニットの長さが単位長さ（モジュール）の整数倍になされ、軒先材がこの単位長さに分割されているので、長さの異なる建物ユニットに対して部品の共通化を図ることができ、部品数を低減できる。
また、外壁の幅を同じ単位長さにすると、外壁の目地と軒先材の継ぎ目が、垂直方向に通りが出て、ユニット建物の外観がすっきりした良い印象を与える。
【００２５】
請求項２記載の本発明では、さらに、軒先材が、無機系材料で形成されているので、従来の鋼板製の軒先材に比べて重量が重くなっても分割されていることで、取付け施工性を損なうことはない。
また、重量感がでて外観意匠性がよくなると共に、雨が乾き易く雨垂れで軒先材に汚れが付着し難い。そして、金属材料のように錆の心配がないので、耐久性に優れる。
【００２６】
請求項３記載の本発明では、さらに、軒先材の取付け部が、軒先材の裏面側に形成され、この取付け部が、固定金具と掛け状態または嵌合状態で取付け可能になされているので、リベット等の屋外側から見える固定具を使用せずに軒先材の取付けが可能となり、外観意匠性のよいユニット建物の軒先構造となる。
【００２７】
また、固定金具の裏面側に補強板が垂設されているので、軒先材が重い無機材料で形成されていても、固定金具の強度を確保できる。
【図面の簡単な説明】
【図１】本発明の一実施例であって、ユニット建物の軒先構造を示す説明図である。
【図２】分割された軒先材の接合部を示す説明図である。
【図３】図１の軒先構造の断面図である。
【符号の説明】
１        建物ユニットの骨組み構造体
２        軒先材
２１      上側軒先部材
２２      下側軒先部材
２１１    嵌合突起部
２２１    係合部
３        庇アーム
４        固定金具
４１      上側金具片
４２      下側金具片
４１１    嵌合金具
４２１    係止片
Ｌ        建物ユニットの長さ
【図１】
0003993298.tif 000002
【図２】
0003993298.tif 000003
【図３】
0003993298.tif 000004